(57)【要約】      （修正有）【課題】携帯情報端末機器を机やテーブルに縦でも横でも傾斜して置き、使用することができる携帯情報端末機器用脚を提供する。【解決手段】一枚のダンボールあるいは厚紙あるいはプラスチックで成型し、接着剤を使用せずに組立が可能で、情報端末機器あるいは情報端末機器用のカバーに対し接合する部位と、山折れになって脚部を形成する部位と、スライド部とがこの順序で形成され、前記スライド部をスライドさせることにより、中央部分に山型の脚部を生じさせる。【選択図】図３
0003169290.tif 000002
【実用新案登録請求の範囲】
【請求項１】
情報端末機器あるいは、情報端末機器用のカバーに対し、接合する部位とスライド部と山折れになって脚部を形成する部位と中央部に向かって途中で屈曲しているスライド用の穴を有する情報端末機器あるいは、情報端末機器用のカバーからなる情報端末機器用脚部の構造。
【考案の詳細な説明】
【考案の詳細な説明】
【技術分野】
【０００１】携帯電話あるいは、携帯情報端末機器を傾斜させて置くための脚部の構造に関する。
【背景技術】
【０００２】携帯情報端末機器のケースのフタの部分が折り返され、背面に回りこみ、横から見ると三角形を成すような形で携帯情報端末機器を傾斜して置くことが可能なものがあった。
【考案が解決しようとする課題】
【０００３】携帯情報端末機器でも電話機能を有するものは、小型でカバーやケースは存在するが傾斜して設置するための脚部を有したものは、少なかった。
【０００４】携帯電話と異なり、見ることも利用手段の一つとして重要視される携帯情報端末は、見るために傾斜をつけて机やテーブルなどに置きたいと言うニーズが存在した。
【０００５】また携帯電話と同様に常に持ち歩くニーズが存在するため、かさばるものでは、持ち運びにくいといった課題も存在した。
【０００６】さらに画面を横にしても、上下を逆さにしても画面が回転して通常に見えることから横でも縦でも置くことを可能にする脚部が求められた。
【課題を解決するための手段】
【０００７】情報端末機器のカバーに対し、山折部とスライド部を有する脚部を接合し、未使用時は、平板で収納時に邪魔にならない状態とし、使用時は、スライド部を利用して、山折部を持ち上げ、横から見ると三角形を形成する脚部を設けた。さらに山折部の両横に斜めに切れ込みを入れることで傾斜をつけて縦だけでなく横にしても置けるようにした。
【作用】
【０００８】携帯情報端末機器のカバー（Ｚ）に対し、脚部（Ａ）の接合部（Ｂ、Ｃ）とスライド用の爪（Ｄ、Ｅ）を携帯情報端末機のカバー（Ｚ）の接合用の穴（ｂ１、ｃ１）とスライド用の穴（ｄ１、ｅ１）に挿し込んで接合し、スライド部（Ｆ）を移動させると山折部（Ｇ）が持ち上がり、横から見ると三角形をなす脚部（Ａ）を形成し、携帯情報端末機器を傾斜にして置くことを可能にした。
【０００９】脚部（Ａ）には、傾斜部（Ｊ）を設けることによって、携帯情報端末機器を縦だけでなく、傾斜にして横に置くことも可能にしている。
【００１０】脚部（Ａ）は、スライド部（Ｆ）を引き戻すと三角形を形成している脚部（Ａ）が平たんとなり、ポケットなどに収納しやすくなる。
【００１１】当考案における携帯情報端末機器用脚部は、紙あるいはダンボールにて製造する事を想定としているが塩化ビニールやプラスチックあるいは、金属でも製造可能である。また、携帯情報端末機器あるいは、携帯情報端末機器用カバーに一体型で脚部を設ける場合は、接合部（Ｂ、Ｃ）は、設けずとも製造可能となる。
【考案の効果】
【００１２】携帯情報端末機器を机やテーブル上に縦でも横でも傾斜させて置くことができ、さらにスライド部分を動かすことで簡単に脚部を平たんにして、ポケットなどへの収納することを可能にした。
【図面の簡単な説明】
【００１３】
【図１】  携帯情報端末機器用脚部の展開図例
【図２】  携帯情報端末機器用のカバー背面図例
【図３】  横置きにした携帯情報端末機器の脚部の状態
【図４】  伏せた携帯情報端末機器の脚部の状態
【図５】  脚部を閉じた時の状態を示す側面図例
【図６】  スライド部を移動させ脚部を三角形状にした状態を示す側面図例
【図７】  縦置きにした携帯情報端末機器の脚部側面図例
【考案を実施するための形態】
【００１４】  以下、本考案の実施の形態を添付図面に基づき具体的に説明する。
図１は、脚部の展開図である。厚さ約１ミリのＧダンボールあるいはＦダンボールを用いて製造する事を想定しているため、側面図及び平面図と底面図は省略している。携帯情報端末機器用カバーに対して接合部（Ｂ、Ｃ）を用いて接合し、スライド用の爪（Ｄ、Ｅ）を稼働可能にすることでスライドさせると山折部（Ｇ）によって脚部（Ａ）を形成する。
【００１５】  図１の脚部（Ａ）には、山折部（Ｇ）側面に傾斜部（Ｊ）を設けることにより、携帯情報端末機器を傾斜にして縦だけでなく、傾斜をつけて横に置く事も可能にしている。
【００１６】  また、スライド用の爪（Ｄ、Ｅ）は、スライド部（Ｆ）をもってスライドさせ、側面より見て三角形を形成するように脚部（Ａ）を成す時は、スライド用の穴（ｄ１、ｅ１）が途中で屈折して中心方向に折れているため、スライドするにしたがってスライド用の爪（Ｄ、Ｅ）を強く挟む事になり、脚部を三角形に固定する時の保形性を増している。
【００１７】  逆にスライド用の爪（Ｄ、Ｅ）をスライド部（Ｆ）によってスライドさせ、側面より見て脚部（Ａ）が平たんになるように戻すとポケットなどへの収納も簡便に行えるように工夫している。
【００１８】  図２は、携帯情報端末機器のカバーの例示であり、脚部を接合するための接合用の穴（ｂ１、ｃ１）とスライド用の穴（ｄ１、ｅ１）が設けている。スライド用の穴（ｄ１、ｅ１）は、中央部に向かって途中からわずかに屈曲させることで脚部を形成した時の保形性を保つように工夫している。波線は、携帯情報端末機器用カバーを示している。
【００１９】  図２に示す接合用の穴（ｂ１、ｃ１）は、当考案の脚部とカバーあるいは、携帯情報端末機器が一体となって成形された場合は、不要となるものである。
【００２０】  図３は、携帯情報端末機器を横置きにした場合の脚部の状態を示したものである。波線は、携帯情報端末機器用カバーを示している。
【００２１】  図４は、携帯情報端末機器を伏せておいた場合の脚部の状態であり、図３同様に脚部は使用状況の状態を示している。波線は、携帯情報端末機器用カバーを示している。
【００２２】  図５は、スライド部を移動させ、脚部を平板にしている状態を示した側面図である。波線は、携帯情報端末機器用カバーを示している。
【００２３】  図６は、スライド部を移動させ、脚部を立て、側面から見ると三角形の脚部を形成している側面図である。波線は、携帯情報端末機器用カバーを示している。
図７は、携帯情報端末機器を縦置きにした場合の側面図である。一番下のラインは、机上のラインを示しており、波線は、携帯情報端末機器用カバーを示している。
【産業上の利用の可能性】
【００２４】  情報端末機器の脚部
【符号の説明】
【００２５】Ａ  脚部
Ｂ  接合部
Ｃ  接合部
Ｄ  スライド用の爪
Ｅ  スライド用の爪
Ｆ  スライド部
Ｇ  山折部
Ｈ  谷折部
Ｉ  谷折部
Ｊ  傾斜部
Ｋ  山折部
Ｌ  山折部
ｂ１  接合用の穴
ｃ１  接合用の穴
ｄ１  スライド用の穴
ｅ１  スライド用の穴
Ｚ  情報端末機器用カバー
【図１】
0003169290.tif 000003
【図２】
0003169290.tif 000004
【図３】
0003169290.tif 000005
【図４】
0003169290.tif 000006
【図５】
0003169290.tif 000007
【図６】
0003169290.tif 000008
【図７】
0003169290.tif 000009
0003169290.tif 000010
【手続補正書】
【提出日】平成23年4月21日(2011.4.21)
【手続補正２】
【補正対象書類名】実用新案登録請求の範囲
【補正対象項目名】全文
【補正方法】変更
【補正の内容】
【実用新案登録請求の範囲】
【請求項１】
一枚のダンボールあるいは厚紙あるいはプラスチックで成型し、接着剤を使用せずに組立が可能で、情報端末機器あるいは情報端末機器用のカバーに対し接合する部位と、山折れになって脚部を形成する部位と、スライド部とがこの順序で形成され、前記スライド部をスライドさせることにより、中央部分に山型の脚部を生じさせることを可能にした情報端末機器あるいは情報端末機器のカバーに取り付ける脚。
【手続補正３】
【補正対象書類名】図面
【補正対象項目名】全図
【補正方法】変更
【補正の内容】
【図１】
0003169290.tif 000011
【図２】
0003169290.tif 000012
【図３】
0003169290.tif 000013
【図４】
0003169290.tif 000014
【図５】
0003169290.tif 000015
【図６】
0003169290.tif 000016
【図７】
0003169290.tif 000017